(57)【要約】【課題】手首や足首に巻き付けることにより装着可能としながらもその表面に情報を印字する場合にその製造効率を向上させることができるとともに、非接触状態にて情報の書き込みや読み出しが可能な非接触情報記録手段が内蔵されている場合に非接触状態にて情報の書き込みや読み出しを行うことができなくなってしまうことを回避する。【解決手段】非接触状態にて情報の書き込み及び／または読み出しが可能なインレット５が内蔵された帯状のシート部１１と、シート部１１の長手方向両端部にそれぞれ連接した帯状のシート部１２，１３とを有し、シート部１２とシート部１３とが接合されることにより環状となるリストバンド１において、シート部１１とシート部１２，１３とは、シート部１１〜１３で略コの字型を形成するように連接している。【選択図】図１
2010202995.tif 000002
【特許請求の範囲】
【請求項１】
非接触状態にて情報の書き込み及び／または読み出しが可能な非接触情報記録手段が内蔵された帯状の第１のシート部と、該第１のシート部の長手方向両端部にそれぞれ連接した帯状の第２及び第３のシート部とを有し、前記第２のシート部と前記第３のシート部とが接合されることにより環状となるリストバンドにおいて、
前記第１のシート部と前記第２及び第３のシート部とは、当該第１、第２及び第３のシート部で略コの字型を形成するように連接していることを特徴とするリストバンド。
【請求項２】
請求項１に記載のリストバンドにおいて、
前記第１のシート部は、前記略コの字型の外側に膨らむように湾曲しているリストバンド。
【請求項３】
請求項１または請求項２に記載のリストバンドにおいて、
前記第２のシート部は、該第２のシート部に接合された前記第３のシート部の当該第２のシート部に対する相対角度を固定する角度固定手段を有するリストバンド。
【発明の詳細な説明】
【技術分野】
【０００１】
本発明は、手首や足首等に装着して使用されるリストバンドに関し、特に、非接触状態にて情報の書き込みや読み出しが可能な非接触情報記録手段が内蔵されたリストバンドに関する。
【背景技術】
【０００２】
従来より、病院等において、検査や治療のために入院する患者の手首や足首にリストバンドを装着させ、このリストバンドを用いて患者を識別、管理することが行われている。この場合、リストバンドの表面に、患者の氏名や血液型、受診科目、病棟名、あるいは患者を識別するためのバーコード情報を印字しておき、この情報を肉眼あるいはバーコードリーダで読み取ることによって、患者を識別、管理している（例えば、特許文献１参照。）。また、近年では、上述したように患者を識別可能な情報が印字されたリストバンドに、非接触状態にて情報の書き込み及び読み出しが可能なＩＣシートを取り付け可能に構成されたものも考えられている（例えば、特許文献２参照。）。
【先行技術文献】
【特許文献】
【０００３】
【特許文献１】特開２００２−３６３８０８号公報
【特許文献２】特開２００５−２８７６６３号公報
【発明の概要】
【発明が解決しようとする課題】
【０００４】
上述したリストバンドは、手首や足首に巻き付けて装着するものであるため、細長い帯状形状となっている。そのため、表面に情報を印字するプリンタにおいては、情報を印字する記録媒体の搬送幅の制限等から、帯状形状の長手方向を搬送方向としてリストバンドを搬送しながら情報を印字していくこととなる。
【０００５】
このように、帯状形状の長手方向を搬送方向としてリストバンドを搬送しながら情報を印字する場合、プリンタにおける印字幅が非常に狭いものとなり、製造効率が著しく悪い。そこで、帯状のリストバンドを複数本並べて配置して搬送しながら情報を印字していくことが考えられるが、その場合、並べられた複数本のリストバンドが同時に搬送されることになるため、リストバンドを、１本等、並べられた本数未満だけ必要とする場合に無駄なリストバンドが生じてしまうという問題点がある。
【０００６】
また、上述したように、非接触状態にて情報の書き込みや読み出しが可能な非接触情報記録手段が内蔵されているものにおいては、リストバンドが手首や足首に装着された場合に非接触型情報記録手段が手首や足首の表面に近接対向することになるため、手首や足首が汗等で濡れている場合、その水分によって、非接触状態にて情報の書き込みや読み出しを行うことができなくなってしまう虞れがある。
【０００７】
本発明は、上述したような従来の技術が有する問題点に鑑みてなされたものであって、手首や足首に巻き付けることにより装着可能としながらもその表面に情報を印字する場合にその製造効率を向上させることができるとともに、非接触状態にて情報の書き込みや読み出しが可能な非接触情報記録手段が内蔵されている場合に非接触状態にて情報の書き込みや読み出しを行うことができなくなってしまうことを回避することができるリストバンドを提供することを目的とする。
【課題を解決するための手段】
【０００８】
上記目的を達成するために本発明は、
非接触状態にて情報の書き込み及び／または読み出しが可能な非接触情報記録手段が内蔵された帯状の第１のシート部と、該第１のシート部の長手方向両端部にそれぞれ連接した帯状の第２及び第３のシート部とを有し、前記第２のシート部と前記第３のシート部とが接合されることにより環状となるリストバンドにおいて、
前記第１のシート部と前記第２及び第３のシート部とは、当該第１、第２及び第３のシート部で略コの字型を形成するように連接していることを特徴とする。
【０００９】
上記のように構成された本発明においては、互いに連接した帯状の第１、第２及び第３のシート部からリストバンドが構成され、この第１、第２及び第３のシート部が、略コの字型を形成するように連接しているので、リストバンドに情報を印字する場合に、リストバンドの長さ分リストバンドを搬送する必要がなくなり、製造効率が向上することになる。また、第１のシート部には、非接触状態にて情報の書き込み及び／または読み出しが可能な非接触情報記録手段が内蔵されているが、この第１のシート部の長手方向両端部に、第２及び第３のシート部が、第１、第２及び第３のシート部で略コの字型を形成するようにそれぞれ連接しているので、このリストバンドを手首や足首に装着して第２のシート部と第３のシート部とを接合させることにより環状とすると、第１のシート部が手首や足首の表面に対して起立した状態となる。そのため、このリストバンドを手首や足首に装着した場合、非接触情報記録手段が手首や足首に近接対向した状態とはならず、手首や足首が汗等で濡れている場合であっても、非接触状態にて情報の書き込みや読み出しを行うことができなくなってしまうことが回避される。
【００１０】
また、第１のシート部を略コの字型の外側に膨らむように湾曲させれば、このリストバンドを手首や足首に装着した場合、第１のシート部の側辺部が手首や足首に沿うようになる。
【００１１】
また、第２のシート部に、第２のシート部に接合された第３のシート部の第２のシート部に対する相対角度を固定する角度固定手段を設ければ、第２のシート部と第３のシート部とを接合させた状態において、第２のシート部に対して第３のシート部が接合部分を中心として回転してしまうことがなくなる。
【発明の効果】
【００１２】
以上説明したように本発明においては、リストバンドを構成する第１、第２及び第３のシート部が、略コの字型を形成するように連接している構成としたため、手首や足首に巻き付けることにより装着可能としながらもその表面に情報を印字する場合にその製造効率を向上させることができる。また、第１のシート部には、非接触状態にて情報の書き込み及び／または読み出しが可能な非接触情報記録手段が内蔵されているが、この第１のシート部の長手方向両端部に、第２及び第３のシート部が、第１、第２及び第３のシート部で略コの字型を形成するようにそれぞれ連接している構成としたため、このリストバンドを手首や足首に装着して第２のシート部と第３のシート部とを接合させることにより環状とすると、第１のシート部が手首や足首の表面に対して起立した状態となり、それにより、手首や足首が汗等で濡れている場合であっても、非接触状態にて情報の書き込みや読み出しを行うことができなくなってしまうことを回避することができる。
【００１３】
また、第１のシート部が、略コの字型の外側に膨らむように湾曲しているものにおいては、このリストバンドを手首や足首に装着した場合、第１のシート部の側辺部が手首や足首に沿うようになり、リストバンドの装着による違和感を軽減することができる。
【００１４】
また、第２のシート部が、第２のシート部に接合された第３のシート部の第２のシート部に対する相対角度を固定する角度固定手段を有するものにおいては、第２のシート部と第３のシート部とを接合させた状態において、第２のシート部に対して第３のシート部が接合部分を中心として回転してしまうことがなくなる。
【図面の簡単な説明】
【００１５】
【図１】本発明のリストバンドの実施の一形態を示す図であり、（ａ）は全体の構成を示す図、（ｂ）は（ａ）に示したＡ−Ａ’断面図、（ｃ）はＢ−Ｂ’断面図である。
【図２】図１に示したリストバンドの使用方法を説明するための図である。
【図３】図１に示したリストバンドが実際に手首に装着された状態を示す図である。
【発明を実施するための形態】
【００１６】
以下に、本発明の実施の形態について図面を参照して説明する。
【００１７】
図１は、本発明のリストバンドの実施の一形態を示す図であり、（ａ）は全体の構成を示す図、（ｂ）は（ａ）に示したＡ−Ａ’断面図、（ｃ）はＢ−Ｂ’断面図である。
【００１８】
本形態は図１に示すように、表面シート３と支持シート４とが非接触情報記録手段であるインレット５を挟んで粘着剤６によって貼着されて構成され、支持シート４が擬似貼着層７を介して台紙２に剥離可能に貼着されている。この擬似貼着層７は、２層構造のフィルムを用いて剥離可能とするものや、自己のみが貼着可能な材料によって構成されている。
【００１９】
このように台紙２に剥離可能に貼着されたリストバンド１は、帯状の第１のシート部１１、第２のシート部１２及び第３のシート部１３からなり、シート部１１の長手方向両端部に、シート部１２，１３が、シート部１１〜１３で略コの字型を形成するように連接して構成されている。
【００２０】
インレット５は、帯状形状を具備するアンテナ１５と、このアンテナ１５に接続されたＩＣチップ１４とを有し、シート部１１に内蔵されている。アンテナ１５は、シート部１１の長手方向に延びるように配置されており、外部から照射される電波に共振して電流が流れ、この電流がＩＣチップ１４に供給されることにより、ＩＣチップ１４に対する情報の書き込みや読み出しが非接触状態にて行われる。
【００２１】
シート部１１は、上述したようにインレット５を内蔵し、シート部１１〜１３で形成される略コの字型の外側に膨らむように湾曲している。
【００２２】
シート部１２は、長手方向両端部のうち、シート部１１との連接側とは反対側の端部に、シート部１２の長手方向に直交する方向に山折り予定線１８を介して突出した角度固定手段である突出部１７が設けられている。また、複数の孔部１６ａがその長手方向に並んで形成されており、突出部１７にも孔部１６ｃが形成されている。この孔部１６ａ，１６ｃは、表面シート３、支持シート４及び台紙２に貫通している。
【００２３】
シート部１３は、複数の孔部１６ｂがその長手方向に並んで形成されており、この孔部１６ｂは、表面シート３、支持シート４及び台紙２に貫通している。
【００２４】
以下に、上記のように構成されたリストバンド１の使用方法について説明する。
【００２５】
まず、情報を印字可能であるとともにＩＣチップ１４に対して情報の書き込みが可能なプリンタを用いて、リストバンド１が台紙２に貼着された状態において、表面シート３のシート部１１となる領域に情報を印字するとともに、インレット５のＩＣチップ１４に情報を書き込む。例えば、病院等において、検査や治療のために入院する患者の手首や足首にこのリストバンド１を装着させて使用する場合、表面シート３のシート部１１の部分に、患者の氏名や血液型等を印字するとともに、この患者の氏名や血液型、受診科目、病棟名等の患者に関する情報をＩＣチップ１４に書き込む。この際、台紙２にリストバンド１が装着された状態においては、リストバンド１を構成する３つのシート部１１〜１３が、略コの字型を形成するように連接しているため、リストバンド１全体で細長い帯状形状となっておらず、それにより、リストバンド１をその長手方向に搬送しながら情報を印字する必要がなくなり、製造効率が向上する。また、このように表面シート３に対する情報の印字とＩＣチップ１４に対する情報の書き込みとを１つの装置にて行うことにより、表面シート３に印字された情報と、ＩＣチップ１４に書き込まれた情報とのマッチングミスを防止することができる。
【００２６】
このようにして表面シート３に情報が印字されるとともにＩＣチップ１４に情報が書き込まれたリストバンド１は、台紙２から剥離され、上述したように、例えば、病院等において患者の手首や足首に装着されて使用されることになる。なお、台紙２に貼着されたリストバンド１は、上述したように、支持シート４が擬似貼着層７によって台紙２の貼着されているため、台紙２から剥離することができる。
【００２７】
図２は、図１に示したリストバンド１の使用方法を説明するための図である。
【００２８】
台紙２から剥離したリストバンド１を手首や足首に装着する場合は、まず、３つのシート部１１〜１３が手首や足首に巻き付くようにし、そして、図２（ａ）に示すように、シート部１２とシート部１３とを長手方向の向きが反対となるように、かつ、シート部１２の裏面とシート部１３の表面とが対向するように重ね合わせる。この際、装着する手首や足首の太さに合わせて、シート部１２に形成された孔部１６ａとシート部１３に形成された孔部１６ｂとが重なり合うようにする。
【００２９】
そして、図２（ｂ）に示すように、シート部１２の突出部１７を山折り予定線１８にて折り畳み、シート部１２と突出部１７との間にシート部１３を挟み込む。すると、突出部１７に形成された孔部１６ｃが、互いに重なり合った孔部１６ａ，１６ｂと重なり合う。この状態で、重なり合った３つの孔部１６ａ〜１６ｃに貫通するようにクリップ等を挿入して２つのシート部１２，１３を接合し、リストバンド１を手首や足首の周囲にて環状にする。このように、シート部１２と突出部１７との間にシート部１３を挟み込んだ状態で２つのシート部１２，１３を接合すると、シート部１３の一方の側辺が、突出部１７が山折りされる辺の内側に当接し、それにより、シート部１３のシート部１２に対する相対角度がシート部１２とシート部１３とが一直線上に並ぶように固定され、シート部１２に対してシート部１３がクリップ等による接合部分を中心として図中矢印にて示す方向に回転してしまうことがなくなる。
【００３０】
図３は、図１に示したリストバンド１が実際に手首に装着された状態を示す図である。
【００３１】
図１に示したリストバンド１は、上述したように、ＩＣチップ１４及びアンテナ１５を有するインレット５が内蔵されたシート部１１の長手方向両端部に２つのシート部１２，１３が、３つのシート部１１〜１３で略コの字型を形成するようにそれぞれ連接して構成されているため、図２に示したように環状にして手首８に装着すると、図３に示すように、ＩＣチップ１４及びアンテナ１５を有するインレット５が内蔵されたシート部１１が、手首８の表面に対して起立した状態となる。そのため、シート部１１に内蔵されたインレット５が、このリストバンド１が装着された手首８の表面に近接対向した状態とはならず、それにより、リストバンド１が装着された手首８が汗等で濡れている場合であっても、インレット５において、非接触状態にて情報の書き込みや読み出しを行うことができなくなってしまうことが回避される。
【００３２】
また、上述したようにシート部１１は手首８の表面に対して起立した状態となるが、シート部１１が、３つのシート部１１〜１３によって形成される略コの字型の外側に膨らむように湾曲しているため、手首８の表面に対して起立した状態であっても、シート部１１の側辺が、このリストバンド１が装着された手首８の表面に沿うようになり、リストバンド１の装着による違和感を軽減することができる。
【００３３】
なお、本形態においては、シート部１１に連接した２つのシート部１２，１３に形成された孔部１６ａ〜１６ｃに貫通するようにクリップ等を挿入することにより、２つのシート部１２，１３を接合させるものを例に挙げて説明したが、２つのシート部１２，１３を接合させる手段はこれに限らず、２つのシート部１２，１３の一方に突起を設けるとともに他方にこの突起が嵌め込まれる孔部を設け、この突起を孔部に嵌め込むことによって２つのシート部１２，１３を接合させるもの等、様々なものが考えられる。
【００３４】
また、本形態においては、表面シート３のうち、シート部１１となる部分に情報を印字しているが、孔部１６ａ〜１６ｃを避けるようにすれば、表面シート３のうち他のシート部１２，１３となる部分に情報を印字してもよい。
【符号の説明】
【００３５】
１    リストバンド
２    台紙
３    表面シート
４    支持シート
５    インレット
６    粘着剤
７    擬似貼着層
８    手首
１１〜１３    シート部
１４    ＩＣチップ
１５    アンテナ
１６ａ〜１６ｃ    孔部
１７    突出部
１８    山折り予定線
【図１】
2010202995.tif 000003
【図２】
2010202995.tif 000004
【図３】
2010202995.tif 000005